(57)【要約】【課題】  流し台や洗面台に取り付けて、必要な時だけ水跳ねを防止でき、それ以外の時は邪魔にならないように簡単に収納することのできる水跳ね防止具を提供すること。【解決手段】  流し台等のシンク内壁面に吸着可能な吸盤を備えた左右一対のレバー状の保持具と、所定の幅と高さを有する薄板状のカバーからなり、前記保持具には前記カバーを上下スライド自在に挟持することのできるクリップが設けられている水跳ね防止具。保持具本体は、吸盤の軸回りに回転自在に取り付けられているのが好ましい。【選択図】      図１
2006223479.tif 000002
【特許請求の範囲】
【請求項１】
流し台等のシンク内壁面に吸着可能な吸盤を備えた左右一対のレバー状の保持具と、所定の幅と高さを有する薄板状のカバーからなり、前記保持具には前記カバーを上下スライド自在に挟持することのできるクリップが設けられていることを特徴とする水跳ね防止具。
【請求項２】
保持具本体が吸盤の軸回りに回転自在に取り付けられている請求項１に記載の水跳ね防止具。
【発明の詳細な説明】
【技術分野】
【０００１】
本発明は、洗面台や台所の流し台の使用時に水が跳ねて衣服等を濡らすことを防止するための水跳ね防止具に関するものである。
【背景技術】
【０００２】
台所の流しで食器を洗うときや、洗面台で顔を洗う場合等には、水が跳ねて衣服を濡らすことが多い。このため、身体の前面にエプロンを着用して衣服に水がかかるのを防いでいるのが普通である。
【０００３】
しかしながら、エプロンで衣服が濡れるのを防止する方法では、水仕事の度にエプロンを着脱する手間が必要で、しかも濡れたエプロンをその都度乾燥しなければならないので煩わしいという問題点があった。このような問題点を改良するものとして、特許文献１、特許文献２及び特許文献３に記載された装置が提案されている。
【０００４】
【特許文献１】特開平０５−１１１４１０号公報
【特許文献２】特開平１０−２０１５５５号公報
【特許文献３】特開２００４−０８９５０２号公報
【０００５】
上記特許文献１に記載のものは、流し台の上部に設けられたシンクの後方にまな板を立てて保持することのできるバックガードを設け、シンクの前方には該シンクに通じる側溝を形成して、垂れ落ちた水がこの側溝を通ってシンクに流入するようにしたものである。また、上記特許文献２に記載のものは、シンクの奥側のバックガードの手前に該シンクよりも浅い水切りシンクを設けたもので、シンクで洗った食器等をこの水切りシンクに載せて水切りを行えるようにしている。
【０００６】
さらに、上記特許文献３に記載のものは、流し台のシンクの前側上面にホルダーを両面テープで取り付け、このホルダーに水跳ねを防止するタオル等の吸水性シートを掛けるための吸水性素材掛け部を取り付けたもので、ワンタッチで流し台に取り付けられるとされている。
【発明の開示】
【発明が解決しようとする課題】
【０００７】
しかしながら、上記特許文献１や特許文献２に記載のものは、食器洗いや洗顔の際に手前に跳ねる水が体に掛かるのを防止することはできないので、衣服が濡れることを防ぐという目的を達成することはできないという問題点がある。また、上記特許文献３に記載の器具は、使用の度に流し台に保持具を着脱する手間が必要であるから、手軽に使用できるものとは言いがたい。しかも、この水受け器を流し等に取り付けたままでは、作業の邪魔になるという問題点もある。
【０００８】
そこで本発明は、流し台や洗面台に取り付けて、必要な時だけ水跳ねを防止でき、それ以外の時は邪魔にならないように簡単に収納することのできる水跳ね防止具を提供することを課題としている。
【課題を解決するための手段】
【０００９】
上記課題を解決するため、本発明は次のような構成を採用した。すなわち、請求項１に記載の本発明に係る水跳ね防止具は、流し台等のシンク内壁面に吸着可能な吸盤を備えた左右一対のレバー状の保持具と、所定の幅と高さを有する薄板状のカバーからなり、前記保持具には前記カバーを上下スライド自在に挟持することのできるクリップが設けられていることを特徴としている。
【００１０】
また、請求項２に記載の水跳ね防止具は、上記請求項１の構成に加えて、さらに、保持具本体が吸盤の軸回りに回転自在に取り付けられていることを特徴としている。
【発明の効果】
【００１１】
請求項１に記載の発明によれば、シンクの内壁面に左右一対の保持具を所定間隔で吸着固定し、その保持具本体に設けたクリップで薄板状のカバーを上下スライド自在に保持するので、不使用時にはカバーをシンク内に押し下げて、作業の邪魔にならないように収納しておくことができる。また、食器洗い等の作業を行う場合は、カバーを上方にスライドさせてシンクから必要な高さだけ上方へ突出させておくことにより、身体側への水跳ねを当該カバーによって遮断することができ、衣服の濡れを効果的に防止することができる。保持具は吸盤でシンク内面に固定するので、一対の保持具の間隔を簡単に調節することができる結果、種々の幅のカバーを使用することができる。
【００１２】
また、請求項２に記載の水跳ね防止具のように、クリップを有するレバー状の保持具本体を、シンク内壁に吸着固定した吸盤の軸回りに任意の角度に回転させることができるので、幅の異なるカバーに対する調節が容易であり、しかもカバーの上下スライドを円滑に行うことができる。
【発明を実施するための最良の形態】
【００１３】
以下、図面に表された本発明の実施形態について説明する。この水跳ね防止具１は、左右一対の保持具２，２とカバー３とで構成される。保持具２は、レバー状の本体４の一方の端部に吸盤５が取り付けられ、他方の端部付近にカバーを挟持することができるクリップ６が一体に成形されている。
【００１４】
保持具本体４は、プラスチック、金属、木材等、適度の強度を有する材料で作られるもので、図示例ではプラスチックで作られており、先端部に吸盤５を取り付けるための取り付け穴１０が設けられている。この取り付け穴１０は、径の小さい支持穴１０ａと、これよりも径の大きい着脱用の嵌合穴１０ｂとが連続する概略瓢箪形の穴となっている。
【００１５】
一方、保持具本体４の反対側の端部付近（長手方向中間部でもよい）には、クリップ６が一体に成形されているが、このクリップ成形部には、保持具本体４の軸方向に沿う長穴１３が形成されており、当該長穴の前記吸盤５とは反対側の端部にクリップ６の基部６ａが立ち上げられている。保持具本体４の両側縁部には前記クリップ６と反対側へ直角に屈曲した補強板４ａが一体に成形されているので、該保持具本体４の長手方向中間部の断面形状は概略コ字形となっている。前記クリップ成形部に長穴１３が形成されているのは、いわゆる切り起こし式の成形によるものである。クリップ６の先端部６ｂは、前記吸盤５側に向かって伸びており、基部６ａよりは保持具本体４の面に近くなるように若干傾斜している。クリップの先端部下面側には、突条６ｃが形成されている。
【００１６】
吸盤５は、ある程度柔軟なプラスチック製（ゴムでもよい）であり、前面側には吸着用の凹部１５が形成され、その中央部背面側には支持軸１６が一体に突設されている。また、吸盤５の背面外周部には、引き剥し用のツマミ１８が突設されている。支持軸１６の軸径は前記支持穴１０ａに回転自在でかつ遊び無く嵌合する大きさであり、その先端部には抜け止め用のフランジ部１７が一体に成形されている。このフランジ部１７の外径は、若干傾けた状態で無理嵌め式に前記嵌合穴１０ｂを通過させることができる大きさである。なお、図示例のフランジ部１７の外周面は、吸盤本体側の径が大きく、端部側の径が小さい傾斜面として形成されている。
【００１７】
カバー３は、プラスチック、金属、木材等の適当な材料で製作された薄板であり、本実施例ではプラスチック製である。このカバー３の幅は、シンクでの作業を容易にするため、作業者の両腕の間隔よりは狭くしておくのが好ましい。また、カバー３の上下長さは、収納時に流しの上面にあまり突出せず、しかも使用時に水跳ねを防止できるほどの高さを備えたものとする。この高さをシンクの深さ程度としておくと、不使用時にシンク内に隠れるように収納できるので好ましい。なお、図示例では、カバーの上側コーナー部に丸み付が施されていて、作業中に腕等を傷つけないようになっている。カバー３を透明な材料で製作しておけば、視界が広がるので好ましい。
【００１８】
この水はね防止具１の使用に際しては、まず、保持具２，２の吸盤５を保持具本体４に取り付ける。この取り付け方法は、吸盤５のフランジ部１７を傾けながら保持具本体４の嵌合穴１０ｂに裏面側から押し込み、本体４の表面側に突出させる。しかるのち、嵌合穴１０ｂに嵌合している支持軸１６を前記支持穴１０ａ側に移動させる。支持穴１０ａの内径は前記フランジ部１７の径よりもかなり小さく、支持軸１６が遊び無く回転自在に嵌合するだけの大きさであるから、フランジ部１７により支持軸１６の逸脱が防止され、吸盤５と保持具本体４とが相互回転自在に結合した状態となる。
【００１９】
このように吸盤５を取り付けた左右一対の保持具２，２を、該吸盤５によってシンクＳの内壁面に取り付ける。この場合、吸盤５がシンクの中央側に位置し、レバー状の保持具本体４が吸盤５から外側（シンクの左右端部側）に突出するように取り付ける。
【００２０】
保持具２，２をシンク内壁面に取り付けたら、次に薄板状のカバー３を両保持具２，２のクリップ６，６で挟持させる。すなわち、カバー３の左右端部をクリップ６，６に嵌め込み、スライドさせればよい。このとき、クリップ６を有する保持具本体４が吸盤５の軸１６回りに回転自在であるから、カバー３の取り付けやスライドは容易である。クリップ６は、カバー３を挿入しない状態では、吸盤５側が保持具本体の板面に近づくように傾斜しており、吸盤５の支持軸１６の端部には保持具本体４の板面よりも上方へ突出するフランジ部１７が設けられているので、カバー３はクリップ６とフランジ部１７とで挟圧された状態となり、クリップ６とカバー３自体の弾力によって適度の保持強度で保持される。この状態では、上下スライド可能であるが、任意のスライド位置で固定できる。
【００２１】
この水跳ね防止具１は、不使用時にはカバー３を押し下げてシンクＳ内に収納しておくことができる。このため、作業の邪魔にならず、美観的にも優れている。また、水仕事をする場合は、カバー３を引き上げて、シンク上面よりも適当な高さまで突出させる。この状態では、飛散する水がカバー３によってさえぎられ、作業者の衣服にかかることが防止される。カバー３の突出高さは任意に調節できるので、便利である。また、カバー３はクリップ６とフランジ部１７とで表裏方向の相反する方向の力で挟持されるので、使用中にずり落ちることがない。しかも、カバー３自体の弾性変形とクリップ６の弾力により保持されるので、円滑にスライドさせることができる。
【００２２】
上記のとおり、この水跳ね防止具１は、不使用時にはカバー３をシンクＳ内に押し下げて邪魔にならないように収納することができるが、必要に応じて全体をシンクから取り外すこともできる。この場合は、左右の吸盤をツマミ１８で引き剥すだけでよいので、着脱操作は極めて簡単である。また、この水跳ね防止具１は、構造的に簡単で、部品数も少ないので、安価であるとともに、清掃等も簡単に行うことができ、衛生的にもすぐれたものである。
【産業上の利用可能性】
【００２３】
本発明に係る水跳ね防止具は、台所の流し台や洗面台の使用時に水が跳ねて衣服を濡らすことを効果的に防止できるもので、日用品の分野で利用でき、しかもプラスチック成形等で簡単に製作することができるので、工業生産にも適したものである。
【図面の簡単な説明】
【００２４】
【図１】水跳ね防止具をシンクに取り付けた状態を表す正面図である。
【図２】をの平面図である。
【図３】保持具の正面図である。
【図４】保持具の平面図である。
【図５】保持具本体の先端部の拡大図である。
【図６】吸盤の側面図である。
【符号の説明】
【００２５】
１        水跳ね防止具
２        保持具
３        カバー
４        保持具本体
５        吸盤
６        クリップ
Ｓ        シンク
【図１】
2006223479.tif 000003
【図２】
2006223479.tif 000004
【図３】
2006223479.tif 000005
【図４】
2006223479.tif 000006
【図５】
2006223479.tif 000007
【図６】
2006223479.tif 000008